(57)【要約】      （修正有）【課題】操作部の操作性と音響性能とを好適に両立させるスピーカ装置を提供する。【解決手段】スピーカ装置１は、スピーカ部２３が設けられた面を含む複数の面で囲われた主空気室Ｓ１を形成するリアケース２及びインナーケース３と、インナーケース３から突出して設けられ、主空気室Ｓ１と連通する副空気室Ｓ２を内部に有する円筒部３２と、円筒部３２に設けられたダイヤル式スイッチ６とを備える。【選択図】図４
2019114945.tif 000002
【特許請求の範囲】
【請求項１】
スピーカユニットが設けられた面を含む複数の面で囲われた第１の空気室を形成する第１の音響部と、
前記第１の音響部から突出して設けられ、前記第１の空気室と連通する第２の空気室を内部に有する第２の音響部と、
前記第２の音響部に設けられた操作部と、
を備える音響装置。
【請求項２】
前記第２の音響部の前記突出する部分の先端に設けられたパッシブラジエータを備える請求項１に記載の音響装置。
【請求項３】
前記第１の音響部は、前記第１の空気室を画成する面のうち、前記スピーカユニットが設けられた面を除く面に、他のパッシブラジエータを有する請求項２に記載の音響装置。
【請求項４】
前記第２の音響部は、前記突出する部分の先端が開放されて、バスレフポートの少なくとも一部を形成している請求項１に記載の音響装置。
【請求項５】
筐体と、
前記筐体内の空間を、前記スピーカユニット以外の電子部品が配置された部品配置空間と、前記第１の空気室とに仕切る仕切部材と、
を備え、
前記第２の空気室は、前記仕切部材に対して前記部品配置空間側に設けられ、前記仕切部材に形成された穴を通じて前記第１の空気室と連通している請求項１から請求項４のいずれか一項に記載の音響装置。
【請求項６】
前記操作部は、前記第２の音響部の周囲に設けられたダイヤル式スイッチであり、ユーザによる回動操作に応じて前記部品配置空間に配置された電子部品による処理を実行する請求項５に記載の音響装置。
【請求項７】
前記操作部は、
前記第２の音響部の基端部に設けられたダイヤル基板と、
前記ダイヤル基板に実装されたロータリーエンコーダと、
前記第２の音響部の先端部の周囲に設けられ、前記ロータリーエンコーダに連結されたダイヤルノブと、
を有し、
前記第２の音響部の先端が前記ダイヤルノブの先端よりも突出している請求項６に記載の音響装置。
【請求項８】
前記第２の音響部が挿通される穴を有するとともに、前記部品配置空間に配置されたメイン基板を備える請求項５から請求項７のいずれか一項に記載の音響装置。
【発明の詳細な説明】
【技術分野】
【０００１】
本発明は、音響装置に関する。
【背景技術】
【０００２】
従来、スピーカシステムなどの音響装置において、スピーカユニットが設けられた筐体に、各種ボタンなどの操作部や、バスレフポート又はパッシブラジエータなどの音響補助部をさらに設けたものが知られている（例えば、特許文献１参照）。
このような音響装置によれば、操作部や音響補助部がスピーカユニットとともに筐体内に格納されているため、音響補助部により音響性能を向上させつつ小型化を図ることが可能となっている。
【先行技術文献】
【特許文献】
【０００３】
【特許文献１】特開２０１６−３２１８７号公報
【発明の概要】
【発明が解決しようとする課題】
【０００４】
しかしながら、上記の従来技術では、小型化が図れる反面、操作部や音響補助部を筐体に設けることで筐体内の空気室容量の低下等を招来してしまい、操作部の操作性と音響性能とを効果的に両立することができなかった。
【０００５】
本発明は、以上のような事情に鑑みてなされたものであり、操作部の操作性と音響性能とを好適に両立させることができる音響装置の提供を目的とするものである。
【課題を解決するための手段】
【０００６】
上記目的を達成するために、本発明に係る音響装置は、
スピーカユニットが設けられた面を含む複数の面で囲われた第１の空気室を形成する第１の音響部と、
前記第１の音響部から突出して設けられ、前記第１の空気室と連通する第２の空気室を内部に有する第２の音響部と、
前記第２の音響部に設けられた操作部と、
を備える。
【発明の効果】
【０００７】
本発明によれば、操作部の操作性と音響性能とを好適に両立させることができる。
【図面の簡単な説明】
【０００８】
【図１】実施形態におけるスピーカ装置の斜視図である。
【図２】実施形態におけるスピーカ装置の三面図である。
【図３】実施形態におけるスピーカ装置のリアケースでのスピーカ部の配置を模式的に示した図である。
【図４】（ａ）は、図２（ｂ）のIV−IV線でのスピーカ装置の断面図であり、（ｂ）は、（ａ）のＡ部の詳細図である。
【図５】実施形態におけるインナーケースを組み付けた状態のリアケースの斜視図である。
【図６】実施形態におけるダイヤル式スイッチの内部構造を説明するための図であって、ダイヤル基板に実装されたロータリーエンコーダを示す斜視図である。
【図７】実施形態の変形例を示す図であって、（ａ）は図４（ａ）と同様のスピーカ装置の断面図であり、（ｂ）は（ａ）のＢ部の詳細図である。
【図８】実施形態の変形例におけるリアケースでのスピーカ部やバスレフポートの配置を模式的に示した図である。
【図９】実施形態の他の変形例におけるリアケースでのスピーカ部やパッシブラジエータの配置を模式的に示した図である。
【発明を実施するための形態】
【０００９】
以下、図１〜図９を参照して、本発明に係る音響装置をスピーカ装置（スピーカシステム）に適用した場合の実施形態について説明する。
なお、以下に述べる実施形態には、本発明を実施するために技術的に好ましい種々の限定が付されているが、本発明の範囲を以下の実施形態及び図示例に限定するものではない。
【００１０】
図１は、本実施形態におけるスピーカ装置１の斜視図であり、図２は、スピーカ装置１の三面図であって、（ａ）が平面図、（ｂ）が正面図、（ｃ）が右側面図である。また、図３は、スピーカ装置１のリアケース２におけるスピーカ部２３の配置を模式的に示した図である。
図１及び図２に示すように、本実施形態におけるスピーカ装置１は、正面視六角形の略六角錐台形状に形成されたアンプ内蔵のアクティブスピーカである。また、スピーカ装置１は、近距離無線通信規格のBluetooth（登録商標）に対応したBluetoothスピーカであり、同様にBluetoothに対応した各種デジタル機器からワイヤレスで音声データを再生可能となっている。
なお、以下の説明では、「上」「下」「前」「後」「左」「右」の各方向の記載を、スピーカ装置１の正面方向を前側、後述の操作部２２を有する面の側を上側とした場合の各方向を指すものとして、図面の記載と対応させて用いることとする。また、「径方向」や「周方向」との記載や、これらに類する記載は、特に断りのない限り、前後方向に沿ったスピーカ装置１の中心軸Ａｘ（図４参照）を基準にした方向を指すものとする。
【００１１】
具体的に、スピーカ装置１は、前面が開口したリアケース２を備えている。
リアケース２は、六角形の正面視形状が後方に向かうに連れて次第に縮小した略六角錐台形状に形成されている。
リアケース２の正面視形状は、より正確には、短辺と長辺とが交互に連なった３回回転対称の六角形状をなしている。リアケース２の開口前端の周縁部は、周上に沿って一様な傾斜角度で前後に傾斜した３つの傾斜部２１を周方向に連ねてなる側面視鋸波状に形成されている（図５参照）。各傾斜部２１は、正面視で一の頂点からその２つ先の頂点までの中心角１２０°の範囲となっている。
【００１２】
また、リアケース２は、スピーカ装置１の外表面のうち、前面１ａを除く全ての面、すなわち、上下を含む周囲６つの側面（上面２ａ、下面２ｂ、左右２つの上側側面２ｃ、左右２つの下側側面２ｄ）と、後面（背面）２ｅとを有している。６つの側面のうち、上面２ａと２つの下側側面２ｄとが正面視で短辺を含む面であり、下面２ｂと２つの上側側面２ｃとが正面視で長辺を含む面である。
【００１３】
リアケース２の上面２ａには、主にユーザの各種操作を受け付ける操作部（ユーザインターフェース部）２２が設けられている。操作部２２には複数のボタン２２１が設けられている。これら複数のボタン２２１には、例えば、電源ボタンや音量ボタン、後述のＬＥＤ５１１、６１１を点消灯するライトＯＮ／ＯＦＦボタン、Bluetoothのペアリングを行うペアリングボタン、音響モードを切り替えるモード切替ボタンなどが含まれる。また、操作部２２には、図示は省略するが、電源端子（ＤＣジャック）、ＵＳＢ（Universal Serial Bus）端子、音声入力端子などの各種端子が設けられている。
【００１４】
リアケース２の左右２つの上側側面２ｃには、図３に示すように、フルレンジ（全帯域用）のスピーカユニットであるスピーカ部２３がそれぞれ設けられている。
但し、図３は、リアケース２におけるスピーカ部２３の配置を模式的に示した図であって、正確な配置を示したものではない。正しくは、リアケース２の内部底面のうち上側側面２ｃ側の端部には、当該底面に垂直な固定板２３ａが立設されており、スピーカ部２３はこの固定板２３ａに取り付けられている（図４（ａ）参照）。そして、固定板２３ａの外側の上側側面２ｃには多数の音孔（図示省略）が形成されており、これらの音孔を通じてスピーカ部２３の音がリアケース２外に出力されるようになっている。また、固定板２３ａの外側の面のうちスピーカ部２３の周方向両側には、傾斜した上側側面２ｃとの間の隙間を閉塞させる図示しないリブが立設されている。
【００１５】
リアケース２の下面２ｂは、図１及び図２に示すように、スピーカ装置１を立てて設置する場合の設置面となっており、図示しない複数のゴム足が配設されている。
リアケース２の後面２ｅは、スピーカ装置１を寝かせて設置する場合の設置面となっており、図示しない複数のゴム足が配設されている。
【００１６】
このように、スピーカ装置１の外表面は、互いの向きが異なる前面１ａと、リアケース２の６つの側面（上面２ａ、下面２ｂ、左右２つの上側側面２ｃ、左右２つの下側側面２ｄ）及び後面２ｅとから構成されている。そして、これら複数の面には、スピーカ部２３が配置された面（上側側面２ｃ）と、後述するパッシブラジエータ３４が配置された面（前面１ａ）とが重複することなく個別に割り当てられており、本実施形態においては、これらに加えてさらに、操作部２２が配置された面（上面２ａ）と、設置面（下面２ｂ又は後面２ｅ）も、互いに重複することなく個別に割り当てられている。
このようにして多角形の複数の面に個別に機能面を配置した方が、１つの大きな面に複数の機能面をまとめて配置する場合に比べ、装置全体としてコンパクトに構成することができる。
また、スピーカ部２３が配置された２つの上側側面２ｃが互いに平行でないので、これら２つの上側側面２ｃのスピーカ部２３が互いの音声を打ち消し合うことがない。
また、リアケース２の６つの側面のうち、正面視で長辺を含む３つの側面に、スピーカ部２３が配置された２つの上側側面２ｃと、設置面である下面とが個別に割り当てられ、正面視で短辺を含む３つの側面に、操作部２２が配置された上面２ａが割り当てられている。これにより、スピーカ部２３の配置面積や、安定した設置のための設置面積などの比較的に大きな面積が必要な面を大きく確保しつつ、全体としてコンパクトに構成することができる。
【００１７】
なお、リアケース２の各面を含むスピーカ装置１の外表面の形状は、上述したものに限定されない。例えば、リアケース２の６つの側面が前後方向に対して傾斜していなくともよいし、リアケース２の正面視形状が六角形状でなくともよい。但し、リアケース２（スピーカボックス）の剛性を担保するためには、リアケース２は正面視形状が五角形以上の凸多角形状であることが好ましい。
また、スピーカ装置１の外表面は、互いの向きが異なる６つ以上８つ以下の面で構成されていることが好ましい。この場合、スピーカ装置１の外表面のうち、少なくとも５つの面には、スピーカ部２３、後述するパッシブラジエータ３４及びユーザインターフェース部のいずれかが配置されており、それ以外の面のうち少なくとも１つの面が設置面であることがより好ましい。
また、スピーカ装置１の外表面を構成する複数の面は、互いの主たる向き（方向）が異なっていれば平坦な面に限定されず、例えば曲面であってもよい。また、部分的に細かい凹凸があってもよい。また、面全体が部分的に角度の異なる複数の面部分で構成されていても、それらの複数の面部分を包絡した面である包絡面が略平坦な面とみなせればよい。
また、スピーカ部２３が配置された面と、後述するパッシブラジエータ３４が配置された面と、操作部２２が配置された面と、設置面との、スピーカ装置１の外表面を構成する複数の面への割り当ては、本実施形態のものに限定されず、互いに重複することなく個別に割り当てられていればよい。
【００１８】
図４（ａ）は、図２（ｂ）のIV−IV線でのスピーカ装置１の断面図であり、図４（ｂ）は、図４（ａ）のＡ部の詳細図である。また、図５は、後述のインナーケース３を組み付けた状態のリアケース２の斜視図であり、図６は、後述のダイヤル式スイッチ６の内部構造を説明するための図であって、ダイヤル基板６１に実装されたロータリーエンコーダ６２を示す斜視図である。
図４（ａ）及び図５に示すように、リアケース２の内部には、インナーケース３と、フロントケース４と、発光ユニット５とが収容されている。
このうち、インナーケース３は、略平板状の平板部３１と、平板部３１の中央から前方に立設された円筒部３２とを有する形状に形成されている。また、インナーケース３は、例えばアルミダイカストや亜鉛ダイカストなどの放熱性（熱伝導率）の高い材料で形成されている。
【００１９】
平板部３１は、リアケース２の正面視形状（開口形状）に対応した六角形の略平板状に形成されている。そして、平板部３１は、リアケース２内部のうち前後方向の中央よりもやや前側の位置において、前後方向に略直交した状態で、固定板２３ａの前端に当接しつつリアケース２の開口を閉塞させている。これにより、スピーカ部２３を含む閉塞空間がリアケース２と平板部３１（インナーケース３）とで画成され、当該閉塞空間がスピーカ装置１の主たる空気室である主空気室Ｓ１となっている。換言すれば、平板部３１（インナーケース３）は、リアケース２内の空間を、スピーカ部２３以外の電子部品が配置された部品配置空間Ｓ３と、主空気室Ｓ１とに仕切っている。
【００２０】
平板部３１のうち、外周側の略半部は、リアケース２の３つの傾斜部２１に対応して前後に傾斜した３つの傾斜板部３１１を周方向に連ねて構成されている。具体的に、３つの傾斜板部３１１の各々は、平板部３１の外形の一の頂点からその２つ先の頂点までの中心角１２０°の範囲で、平板部３１の外周に沿って一定幅で延在しつつ一様な傾斜角度で前後に傾斜している。
【００２１】
平板部３１のうち、３つの傾斜板部３１１よりも内周側は、平板部３１の外形形状と対応した六角形状に形成されて前後方向と略直交する平坦部３１２となっている。
平坦部３１２の前面には、スピーカ装置１の主たる制御回路等が実装されたメイン基板３３が配置されている。メイン基板３３は、平坦部３１２に対応した六角形状の外形形状に形成されるとともに、円筒部３２（後述の段付き部３２１）の外径よりもやや大きな円形の穴３３ａが中央に形成されており、この穴３３ａに円筒部３２（後述の段付き部３２１）を挿通させた状態で平坦部３１２の前面に当接（面接触）して固定されている。このように、放熱性の高いインナーケース３の平坦部３１２にメイン基板３３を当接させることにより、メイン基板３３の発熱を効率よく除去することができる。
【００２２】
円筒部３２は、段付き状に形成されており、この基端部の段付き部３２１がその前側の部分よりも大径に形成されている。
この円筒部３２は、低音増強用の音響補助部として、前端にパッシブラジエータ（ドロンコーン）３４を有している。また、円筒部３２は、後端が開放されて内部空間が後方の主空気室Ｓ１と連通しており、この内部空間がスピーカ装置１の副空気室Ｓ２となっている。換言すれば、副空気室Ｓ２は、インナーケース３に対して部品配置空間Ｓ３側に設けられており、インナーケース３に形成された円筒部３２内の穴を通じて主空気室Ｓ１と連通している。
【００２３】
このように、主空気室Ｓ１を形成するインナーケース３から突出させた円筒部３２の内部を副空気室Ｓ２として主空気室Ｓ１と連通させることにより、単純にリアケース２の側面にパッシブラジエータ等の音響補助部を設ける場合に比べ、スピーカ装置１全体での空気室容量を増加させて音響性能（例えば低音の音質等）を向上させることができる。
また、前方に突出させた円筒部３２の前端にパッシブラジエータ３４を設けることで、主空気室Ｓ１の外部にパッシブラジエータ３４を配置することができる。ひいては、全体の空気室容量を増やしつつ、パッシブラジエータ３４による低音増強効果を得ることができる。
さらに、音声出力時のパッシブラジエータ３４の振動板の動きをユーザに視認させることができる。これにより、パッシブラジエータ３４による低音増強の効果を、聴覚だけでなく視覚的にもユーザに感じさせることができる。
【００２４】
円筒部３２のうち、段付き部３２１よりも前側の部分は、ボリューム又はモードセレクタのダイヤル式スイッチ（ユーザインターフェース部）６となっている。
ダイヤル式スイッチ６は、図４（ｂ）及び図６に示すように、ダイヤル基板６１と、ロータリーエンコーダ６２と、中空軸６３と、ダイヤルノブ６４とを備えており、これらが円筒部３２の周囲に取り付けられて構成されている。
ダイヤル基板６１は、円環板状に形成され、円筒部３２の段付き部３２１上に当接（面接触）した状態で固定されている。ダイヤル基板６１の外周部には、複数（本実施形態では１２個）のＬＥＤ（Light Emitting Diode）６１１が周上等配で実装されている。ダイヤル基板６１上には、中空軸タイプのロータリーエンコーダ６２が表面実装されている。ロータリーエンコーダ６２の外周側には中空軸６３が回動自在に設けられている。中空軸６３には、その前側と外周側を覆うように円筒状のダイヤルノブ６４が嵌められている。ダイヤルノブ６４の前面には、装飾用のリング部６４１が取り付けられている。また、円筒部３２の先端を閉塞するパッシブラジエータ３４の表面には、例えば目盛板などの図示しないダイヤル銘板が配置されている。
このような構成により、本実施形態のダイヤル式スイッチ６は、ユーザがダイヤルノブ６４を回動させると、その回動量又は回動位置をロータリーエンコーダ６２により検出し、この回動量又は回動位置に応じて音量を変えたり音響モードを切り替えたりできるようになっている。但し、ダイヤル式スイッチ６の機能は、音量変化や音響モードの切り替えに限定されず、部品配置空間Ｓ３に配置された電子部品（メイン基板３３、ＬＥＤ５１１、ＬＥＤ６１１等）による処理の実行で実現されるものであればよい。
【００２５】
このように、前方に突出させた円筒部３２にダイヤル式スイッチ６が設けられているので、当該ダイヤル式スイッチ６の操作性を担保することができる。
また、放熱性の高いインナーケース３の段付き部３２１にダイヤル基板６１が当接しているので、ダイヤル基板６１の発熱を効率よく除去することができる。
また、ダイヤル式スイッチ６の先端（前端）では、円筒部３２がダイヤルノブ６４よりも前方にやや突出している。そのため、前方に突出したダイヤル式スイッチ６はどこかにぶつけられたりして先端に衝撃を受けやすいものの、このような衝撃を受けた場合であっても、主に円筒部３２がこの衝撃を受けることになる。また、ダイヤルノブ６４とダイヤル基板６１との間には隙間が設けられているため、ダイヤル式スイッチ６に斜め方向から衝撃が加わることで、ダイヤルノブ６４が押された場合であっても、ダイヤルノブ６４がダイヤル基板６１と接触することを避けることができる。これにより、ダイヤルノブ６４への衝撃を低減させることができ、ひいては、ロータリーエンコーダ６２を介したダイヤル基板６１への衝撃を低減して当該ダイヤル基板６１の破損を抑制することができる。
【００２６】
フロントケース４は、図２及び図４に示すように、インナーケース３の平板部３１のうちの平坦部３１２に対応した正面視六角形の外形形状に形成されるともに、平坦部３１２と同程度の大きさに形成され、この平坦部３１２の前方に配置されている。
フロントケース４の最外周部には、外側壁４１が略前後方向に沿って立設されている。この外側壁４１は、インナーケース３の平板部３１のうち傾斜板部３１１前面の最内周部に立てられている。外側壁４１の前端及び後端は、リアケース２前端の３つの傾斜部２１やインナーケース３の３つの傾斜板部３１１と対応した形状に形成されている。すなわち、図示は省略するが、外側壁４１の前端及び後端の各々は、周上に沿って一様な傾斜角度で前後に傾斜した３つの傾斜部分を周方向に連ねてなる側面視鋸波状に形成されており、各傾斜部分は正面視で一の頂点からその２つ先の頂点までの中心角１２０°の範囲となっている。そのため、外側壁４１の前端面と後端面は、互いに平行に形成されている。
外側壁４１の内周側には、その中程の高さであって、インナーケース３の円筒部３２の段付き部３２１前端と同程度の前後方向位置に、前後方向と略直行する平板部４２が設けられている。平板部４２は、円筒部３２の段付き部３２１の外径よりもやや大きい円孔４２ａを内周部に有しており、この円孔４２ａに段付き部３２１を挿通させつつメイン基板３３の前方を覆うように配置されている。
平板部４２の前面には、後述の透明板４５を支持する支持壁４３が立設されている。支持壁４３は、ダイヤル基板６１の外周側を囲うように正面視正六角形状に立設されている。
【００２７】
フロントケース４の支持壁４３よりも内周側は、内周側発光部Ｌ１となっている。
内周側発光部Ｌ１では、ダイヤル基板６１が外周部を平板部４２の前方に位置させて、複数のＬＥＤ６１１を前方に露出させている。複数のＬＥＤ６１１の前方には、当該複数のＬＥＤ６１１の配列に沿った円環状の内周側ＬＥＤケース４４が配置されている。内周側ＬＥＤケース４４は、前面が開口して複数のＬＥＤ６１１を前方に露出させるとともに、複数のＬＥＤ６１１の内周側及び外周側に立設された内周壁及び外周壁のＬＥＤ６１１側の内面には、ＬＥＤ６１１の光を好適に反射させる反射表面処理が施されている。内周側ＬＥＤケース４４の内周壁とフロントケース４の支持壁４３との前端には、複数のＬＥＤ６１１の前方を覆うように円環板状の透明板４５が配置されている。透明板４５は、複数のＬＥＤ６１１の前方に位置する環状部分のみが、光を透過させる光透過部４５ａとなっている。
このような構成により、内周側発光部Ｌ１は、複数のＬＥＤ６１１から前方に出射した光を透明板４５の光透過部４５ａを通じて前方に照射させ、ダイヤル式スイッチ６の周囲を発光させる。この内周側発光部Ｌ１は、本実施形態では、ダイヤル式スイッチ６（ダイヤルノブ６４）の回転位置に対応するＬＥＤ６１１を発光させて、当該回転位置を表示させる。
【００２８】
発光ユニット５は、インナーケース３の平板部３１の３つの傾斜板部３１１の前面に配置されており、スピーカ装置１の前面外周側を発光させる外周側発光部Ｌ２を構成している。
具体的に、発光ユニット５は、外周側ＬＥＤケース５１と、透過性を有する透明板（パネル）５２とを有している。
外周側ＬＥＤケース５１は、インナーケース３の平板部３１の３つの傾斜板部３１１に対応した正面視形状に形成されており、フロントケース４の外側壁４１とリアケース２との間に嵌め込まれるようにして、３つの傾斜板部３１１の前面に配置されている。また、外周側ＬＥＤケース５１は、図示は省略するが、平板部３１の３つの傾斜板部３１１と同様に、周上に沿って一様な傾斜角度で前後に傾斜した３つの傾斜部分を周方向に連ねた形状に形成されている。この外周側ＬＥＤケース５１は、前面が開口されており、その底面に複数のＬＥＤ５１１が実装された３つのＬＥＤ基板５１２を有している。３つのＬＥＤ基板５１２は、３つの傾斜板部３１１（すなわち、後述の３つの発光部５ａ）に対応するように設けられている。複数のＬＥＤ５１１は、径方向に３列に並設されつつ外周側ＬＥＤケース５１の外形に沿って配列されている。各ＬＥＤ５１１は、本実施形態では、ＲＧＢ（赤、緑、青）の３色のチップが搭載されたフルカラーＬＥＤである。外周側ＬＥＤケース５１内（すなわち、透明板５２とＬＥＤ基板５１２との間）には、複数のＬＥＤ５１１の各列を仕切るように仕切り板５１３が立設されており、この仕切り板５１３の両面や、内周壁及び外周壁のＬＥＤ５１１側の内面には、ＬＥＤ５１１の光を好適に反射させる反射表面処理が施されている。この仕切り板５１３により、各ＬＥＤ５１１から照射される光が透明板５２上の異なる位置に照射されるようになっている。
透明板５２は、外周側ＬＥＤケース５１に対応した正面視形状に形成されており、外周側ＬＥＤケース５１の前方を覆うように配置されている。より詳しくは、透明板５２は、やや内側の方が高くなるように傾斜しつつ、リアケース２の開口前端の傾斜部２１とフロントケース４の外側壁４１との間を面一に繋ぐように配置されている。この透明板５２は、リアケース２前端の３つの傾斜部２１やインナーケース３の３つの傾斜板部３１１と対応した形状に形成されている。すなわち、透明板５２は、周上に沿って一様な傾斜角度で前後に傾斜した３つの傾斜板部５２１を周方向に連ねた形状に形成されている。各傾斜板部５２１は正面視で一の頂点からその２つ先の頂点までの中心角１２０°の範囲となっており、最も高い部分が、隣接する他の傾斜板部５２１の最も低い部分に段差を有して繋がるようにして互いに連なっている。また、透明板５２は、３つの傾斜板部５２１の各々に、複数のＬＥＤ５１１の配列に対応してその前方に設けられた３列の光透過部５２ａを有しており、この光透過部５２ａからのみ光を透過させるようになっている。こうして、３つの傾斜板部５２１の表面が、光を外部に出射する主面の角度が互いに異なる３つの発光面（光出射面）５ａとなっている。ここで、３つの発光面５ａは、リアケース２の開口前端の傾斜部２１と、フロントケース４の外側壁４１とを含むものとし、スピーカ装置１の外周側における前端面を構成するものとする。
なお、透明板５２は、半透明であり、ＬＥＤ５１１からの光を拡散することにより、その表面に発光面（光出射面）を形成する。拡散の度合いを高くする（透明度を低くする）ことにより、どの方向から発光面（光出射面）を見た場合であっても、発光面（光出射面）の明るさや光り方を均一にすることができる。
また、透明板５２の透明度を高くすることで、発光面（光出射面）の明るさや光り方は均一にはならないが、スピーカ装置１が設置された部屋の中（例えば天井など）を照らすようにしてもよい。
また、透明板５２は、アクリルやポリカーボネートなどの透明度の高い板の内面がアルミ蒸着されたハーフミラーであってもよい。これにより、内部からの光は外部に照射されるが、外部からは内部の構造が見えないようすることができ、デザイン性を向上させることができる。
また、インナーケース３の平板部３１前面を平坦（水平）な面とし、３つのＬＥＤ基板５１２を互いに同一平面上に水平に配置し、透明板５２の３つの傾斜板部５２１それぞれをＬＥＤ基板５１２に対して斜めに設けてもよい。この場合、仕切り板５１３は、透明板５２（傾斜板部５２１）とＬＥＤ基板５１２との間隔が異なる複数の部分それぞれに対応する長さで、ＬＥＤ基板５１２から直立するようにして設けられる。
【００２９】
このような構成により、発光ユニット５、すなわち外周側発光部Ｌ２は、複数のＬＥＤ５１１から前方に出射した光を透明板５２の光透過部５２ａを通じて前方に照射させ、スピーカ装置１の前面外周側の３つの発光面５ａを発光させる。この外周側発光部Ｌ２は、本実施形態では演出用の発光部であり、例えば出力中の音声の音響モード等に応じた色や強さ等で複数のＬＥＤ５１１を発光させる。
【００３０】
ここで、３つの発光面５ａは、互いの面の角度（すなわち向き）が異なっており、スピーカ装置１の前面１ａから突出して設けられたダイヤル式スイッチ６の周囲を囲むように設けられている。そのため、スピーカ装置１の周囲の広い範囲（本実施形態では略３６０°）から発光面５ａを視認できるとともに、ダイヤル式スイッチ６を操作することができる。したがって、特定の方向からのみインジケータの視認性と操作部の操作性が良好であった従来に比べ、発光面５ａの視認性とダイヤル式スイッチ６の操作性とを向上させることができる。
また、設置面をリアケース２の下面２ｂと後面２ｅとに変えることにより、ダイヤル式スイッチ６が設けられた前面１ａの向きを横方向と上方とに変えて、発光面５ａの視認性とダイヤル式スイッチ６の操作性とが良好なものとなる方向を、所望の方向に変化させることができる。
また、３つの発光面５ａは、上述のとおり各々がダイヤル式スイッチ６の突出方向（前後方向）に対して傾斜しているとともに、各々の最も高い部分を結んだ位置Ｐ１がダイヤル式スイッチ６の先端よりも高くなっている（すなわち、前側に位置している）。そのため、例えばスピーカ装置１を前面から落下させるなどした場合であっても、主に３つの発光面５ａが床などに接触し、ダイヤル式スイッチ６が衝撃を受けることを防ぐことができる。ひいては、ダイヤル式スイッチ６先端部のダイヤルノブ６４に連結されたダイヤル基板６１の破損を抑制することができる。
さらに、３つの発光面５ａは、各々の最も低い部分を結んだ位置Ｐ２がダイヤル式スイッチ６の先端よりも低くなっている（すなわち、後側に位置している）。これにより、ユーザは、３つの発光面５ａのうちダイヤル式スイッチ６の先端よりも低い部分を通じてダイヤル式スイッチ６を把持しやすくなるため、ダイヤル式スイッチ６の操作性が向上する。
【００３１】
なお、発光面５ａは、複数であればその数量は特に限定されないが、少なくとも３つ設けられていることが好ましい。また、複数の発光面５ａは、ダイヤル式スイッチ６の周囲に周上等配に設けられていることが好ましい。これらにより、ダイヤル式スイッチ６への衝撃をより確実に防ぐことができる。
また、発光面５ａの傾斜角度や幅などの形状も特に限定されず、所望の視認範囲やデザイン性などに応じたものとしてよい。
【００３２】
以上のように、本実施形態のスピーカ装置１によれば、スピーカ部２３を有する主空気室Ｓ１がリアケース２とインナーケース３とで形成され、主空気室Ｓ１と連通する副空気室Ｓ２がインナーケース３に突設された円筒部３２の内部に形成され、円筒部３２にはダイヤル式スイッチ６が設けられている。つまり、主空気室Ｓ１を形成するインナーケース３から突出させた円筒部３２の内部を副空気室Ｓ２として主空気室Ｓ１と連通させつつ、この円筒部３２にダイヤル式スイッチ６を設けている。
これにより、全体の空気室容量を増加させて音響性能を向上させつつ、突出させた円筒部３２にダイヤル式スイッチ６を設けることで当該ダイヤル式スイッチ６の操作性を担保することができる。したがって、ダイヤル式スイッチ６の操作性と音響性能とを好適に両立させることができる。
【００３３】
また、円筒部３２の先端にパッシブラジエータ３４が設けられているので、主空気室Ｓ１の外部にパッシブラジエータ３４を配置することができる。ひいては、空気室容量を増やしつつ、パッシブラジエータ３４による低音増強効果を得ることができる。
さらに、音声出力時のパッシブラジエータ３４の振動板の動きをユーザに視認させることができるので、パッシブラジエータ３４による低音増強の効果を、聴覚だけでなく視覚的にもユーザに感じさせることができる。
【００３４】
また、ダイヤル式スイッチ６が、円筒部３２の基端部に設けられたダイヤル基板６１と、ダイヤル基板６１に実装されたロータリーエンコーダ６２と、円筒部３２の先端部の周囲に設けられてロータリーエンコーダ６２に連結されたダイヤルノブ６４とを有しており、円筒部３２の先端がダイヤルノブ６４の先端よりも突出している。
そのため、ダイヤル式スイッチ６の先端側に衝撃を受けた場合であっても、主に円筒部３２がこの衝撃を受けることになり、ダイヤルノブ６４への衝撃を低減させることができる。ひいては、ダイヤルノブ６４からロータリーエンコーダ６２を介したダイヤル基板６１への衝撃を低減し、当該ダイヤル基板６１の破損を抑制することができる。
【００３５】
また、メイン基板３３は、その中央の穴３３ａに円筒部３２を挿通させた状態で、部品配置空間Ｓ３に配置されている。
そのため、例えばメイン基板の前側にフロントケースが配置されて、その前側にダイヤル式スイッチが配置される場合と異なり、円筒部３２先端側のダイヤル式スイッチ６に衝撃を受けた場合であっても、この衝撃はメイン基板３３を介すことなく円筒部３２に直接伝わる。したがって、ダイヤル式スイッチ６からメイン基板３３に伝わる衝撃を低減し、当該メイン基板３３の破損を抑制することができる。
【００３６】
なお、以上本発明の実施形態について説明したが、本発明は、かかる実施形態に限定されず、その要旨を逸脱しない範囲で、種々変形が可能であることは言うまでもない。
【００３７】
例えば、上記実施形態では、円筒部３２の先端にパッシブラジエータ３４が設けられることとしたが、図７（ａ），（ｂ）に示すように、パッシブラジエータ３４に代わる音響補助部として、バスレフポート３５を設けることとしてもよい。この場合、円筒部３２の先端を開放させて、当該円筒部３２がバスレフポート３５の少なくとも一部を形成するようにすればよい。また、所望の低音増強効果に応じてインナーケース３の後面から円筒部３２を後方に延長させ、バスレフポート３５（バスレフダクト）の長さを調整してもよい。
これにより、主空気室Ｓ１の外部にバスレフポート３５を配置することができ、リアケース２の側面にバスレフポートを設ける場合と異なり、主空気室Ｓ１を圧迫することなく、バスレフポート３５による低音増強効果を得ることができる。
また、リアケース２の側面（例えば下側側面２ｄ）にバスレフポートを設ける場合に比べ、この側面を自由にデザインすることができるようになり、形状設計や部品レイアウトの自由度を向上させることができる。
また、バスレフポート３５を設けた場合には主空気室Ｓ１及び副空気室Ｓ２の内部に気流が生じるため、放熱性の高い材料製であるインナーケース３による放熱効果がより高まり、インナーケース３に当接したメイン基板３３やダイヤル基板６１の熱をより効率よく除去することができる。またこの場合には、図示は省略するが、インナーケース３のうち、主空気室Ｓ１内のバスレフポート３５の開口部付近に、放熱フィンを設けることが好ましい。また、前面のバスレフポート３５にはグリル（図示省略）を設けてもよい。
【００３８】
また、パッシブラジエータ３４に代えて円筒部３２にバスレフポート３５を設けた場合には、図８に示すように、リアケース２の左右２つの下側側面２ｄにバスレフポート７２ａを設け、このバスレフポート７２ａを有するバスレフダクト７２を主空気室Ｓ１内に立設させてもよい。これにより、バスレフポートによる低音増強効果をさらに高めることができる。
なお、図８は、上述した図３と同様に、リアケース２の側面におけるスピーカ部２３等の配置を模式的に示したものであり、正確なバスレフポート７２ａ（バスレフダクト７２）の配置を示したものではない。正しくは、バスレフポート７２ａ（バスレフダクト７２）は、上述したスピーカ部２３と同様に、リアケース２の内部底面のうち下側側面２ｄ側の端部から垂直に立設された固定板（図示省略）に設けられている。そして、この固定板の外側の下側側面２ｄには多数の音孔（図示省略）が形成されており、これらの音孔を通じてバスレフポート７２ａからの音がリアケース２外に出力されるようになっている。またこの場合、固定板の外側の面のうちバスレフポート７２ａの周方向両側には、傾斜した下側側面２ｄとの間の隙間を閉塞させる図示しないリブが立設されている。
【００３９】
また、円筒部３２にパッシブラジエータ３４が設けられている場合には、図９に示すように、リアケース２の左右２つの下側側面２ｄに他のパッシブラジエータ７１を設けてもよい。これにより、パッシブラジエータによる低音増強効果をさらに高めることができる。
なお、パッシブラジエータ７１が設けられるリアケース２の面は、主空気室Ｓ１を画成する面のうち、スピーカ部２３が設けられた上側側面２ｃを除く面であれば、どこであってもよい。但し、設置面となり得る下面２ｂ及び後面２ｅ以外の面であることが望ましい。
【００４０】
また、円筒部３２は、インナーケース３に突設されて、主空気室Ｓ１と連通する副空気室Ｓ２を内部に有するものであれば、その形状等は特に限定されず、断面が角形状であってもよいし、湾曲又は屈曲などしていてもよい。
また、ダイヤル式スイッチ６は、円筒部３２に設けられていれば他種の操作部であってもよい。
また、上記実施形態において、フロントケースとインナーケースとの接続部は、ゴムなどの防振部材を用いて、空気室を形成するインナーケースの振動がフロントケースに伝わるのを防ぐようにしてもよい。
【００４１】
また、上記実施形態では、本発明に係る音響装置をスピーカ装置（スピーカシステム）に適用した例について説明したが、本発明に係る音響装置は、スピーカユニットが設けられた空気室と操作部とを備えるものであればよく、スピーカ装置に限定されない。
【００４２】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
スピーカユニットが設けられた面を含む複数の面で囲われた第１の空気室を形成する第１の音響部と、
前記第１の音響部から突出して設けられ、前記第１の空気室と連通する第２の空気室を内部に有する第２の音響部と、
前記第２の音響部に設けられた操作部と、
を備える音響装置。
＜請求項２＞
前記第２の音響部の前記突出する部分の先端に設けられたパッシブラジエータを備える請求項１に記載の音響装置。
＜請求項３＞
前記第１の音響部は、前記第１の空気室を画成する面のうち、前記スピーカユニットが設けられた面を除く面に、他のパッシブラジエータを有する請求項２に記載の音響装置。
＜請求項４＞
前記第２の音響部は、前記突出する部分の先端が開放されて、バスレフポートの少なくとも一部を形成している請求項１に記載の音響装置。
＜請求項５＞
筐体と、
前記筐体内の空間を、前記スピーカユニット以外の電子部品が配置された部品配置空間と、前記第１の空気室とに仕切る仕切部材と、
を備え、
前記第２の空気室は、前記仕切部材に対して前記部品配置空間側に設けられ、前記仕切部材に形成された穴を通じて前記第１の空気室と連通している請求項１から請求項４のいずれか一項に記載の音響装置。
＜請求項６＞
前記操作部は、前記第２の音響部の周囲に設けられたダイヤル式スイッチであり、ユーザによる回動操作に応じて前記部品配置空間に配置された電子部品による処理を実行する請求項５に記載の音響装置。
＜請求項７＞
前記操作部は、
前記第２の音響部の基端部に設けられたダイヤル基板と、
前記ダイヤル基板に実装されたロータリーエンコーダと、
前記第２の音響部の先端部の周囲に設けられ、前記ロータリーエンコーダに連結されたダイヤルノブと、
を有し、
前記第２の音響部の先端が前記ダイヤルノブの先端よりも突出している請求項６に記載の音響装置。
＜請求項８＞
前記第２の音響部が挿通される穴を有するとともに、前記部品配置空間に配置されたメイン基板を備える請求項５から請求項７のいずれか一項に記載の音響装置。
【符号の説明】
【００４３】
１      スピーカ装置
２      リアケース
２ｃ    上側側面
２ｄ    下側側面
２３    スピーカ部
３      インナーケース
３２    円筒部
３３    メイン基板
３４    パッシブラジエータ
３５    バスレフポート
６      ダイヤル式スイッチ
６１    ダイヤル基板
６２    ロータリーエンコーダ
６４    ダイヤルノブ
７１    パッシブラジエータ
Ｓ１    主空気室
Ｓ２    副空気室
Ｓ３    部品配置空間
【図１】
2019114945.tif 000003
【図２】
2019114945.tif 000004
【図３】
2019114945.tif 000005
【図４】
2019114945.tif 000006
【図５】
2019114945.tif 000007
【図６】
2019114945.tif 000008
【図７】
2019114945.tif 000009
【図８】
2019114945.tif 000010
【図９】
2019114945.tif 000011